(57)【要約】      （修正有）【課題】男性用下着の前開きを構造面、機能面を人間工学と力学に基づいた前あきを見直し、男性の人体構造に合わせた開口の位置と大きさのバランスを整え、前開きの構造留め具を変えることで、快適な放尿と残尿の漏れの防止が可能にできる。【解決手段】男性用下着の前開き部分の開き止まりの底の部分（６、７）を股底の縫い目と開き止まり位置を男性性器の付け根部分より下にすることで、尿道の締め付けをなくすことができる。さらには前あき部分の開口を大きくすることで、さらに締め付けをなくすことができる。その開口の留め具を磁石にすることで、男性性器を取り出しやすくし、男性性器が前布によって締め付けられる力が最小限に抑えられ、男性性器の取り出しと放尿を楽にすると同時に、締め付けによる残尿を防止し、残尿の漏れを防止する。【選択図】図１
0003101985.tif 000002
【実用新案登録請求の範囲】
【請求項１】
男性用下着の前開き部分から男性性器の取り出しを楽にするために、前開きに手を通すだけで釦を開けられ、用を足した後、触れることなく自動的に閉まる磁石釦を使用したことを特徴とする男性用下着。
【考案の詳細な説明】
【考案の詳細な説明】
【技術分野】
【０００１】  本考案は、男性用下着のトランクス、ニットトランクス、タイツ、男性用下着の前開きに於いて、男性特有の人体構造に基づいた放尿時の男性性器の取り出し口、前開きの構造、及び開き位置、並びに前開きの大きさとその開閉の処理に関するものである。
【背景技術】
【０００２】  従来、男性用下着であるトランクス、ボクサー型パンツ等においては、前開きが非常に小さく、前布の重なり分量も多く、小用を足すときに使いにくい構造になっている。その理由として、前開きの割れを防ぎ、中が見えないようにする為に隠すという機能を重要視視、前あきを使うと言う目的での機能を無視した結果、前開きを小さく、前あき部分の布の重なりが多くなり、非常に使いにくくなってしまい、締め付けによる残尿の漏れを引き起こす現のものがほとんどである。
図１で示す通り、男性性器と前開きの位置関係がで見ても、開きが上の方で、弾性糸器を締め付ける構造になっている。図８で示す従来のブリーフに関しても同様に、男性性器の場所（１１）から、前開き（５Ａ）を通過して、前開き（５）に至るまでの距離が非常に長く、開き止まり（７）が開口（５Ａ）の開きを止める役目をしている。更には（６、７）の開き止まりのポイントが男性性器より高い位置に来ているため、男性性器の尿道をさらに締め付けてしまう構造になっているのが従来の男性下着の構造である。全ての前開きのある男性下着においては、同様の構造をなしている。この構造が男性の放尿後に残尿を漏らす結果を引き起こしているのである。全ての男性が放尿時に失敗してズボンやパンツを濡らした経験を持っている。従来の男性用下着の前開きは人間工学観点から観ると全く機能をなしていないと言うことが解った。
【考案が解決しようとする課題】
【０００３】  従来、販売されている男性用下着のトランクス、ボクサーパンツにおいては、どこの製品も形状、開き位置、仕様までがほぼ同じで、ほとんどの男性が、男性用下着の前開きの使い辛さを覚えている。前述にもあるが、男性である限り小用を足すときに経験している残尿の漏れ、その原因に下着の前開きの問題が大きく関わっていることがわかった。この様な理由のためか、最近前開きを使用しないで用を足す人が増えていることもこの原因といえる。残尿の漏れと下着の関係は非常に深いことがわかった。下着の前開きの構造で起きる男性性器の尿道の締め付けの結果、起きる残尿の漏れ、この漏れによる不快感は非常にいやなものである。何故この様な結果が起きるのか、その原因が男性用下着の前開きの構造に問題があるからである。
本考案はこれらの問題点を解消するためになされたものである。
【０００４】  また、年代によって、男性用下着の前開きを利用する人の差があり、前開きが有っても若い人ほど前開きを利用する人が少なく、下着をずらして用を足している人が多い。その理由は、ただ使いにくいからである。この様に男性用下着の前開きが、使いにくいのは当たり前になってしまっている中で、男性用トイレでの小用を足しているときのポーズ、スタイルは本当にこっけいなものである。ズボンのベルトをはずしパンツをずらして用を足す人、年齢の高い人は順番待ちもしくは、便器の前にたつ前から股を開き、お尻を引いて探し出すように取り出している姿は当たり前になってしまっている。下着の着用枚数にも関係するが、前開きが複雑な構造でこの様な問題を引き起こしているわけではない。物理的な構造の力学が問題なわけである。本考案で示す開きの位置関係、開きの部分の生地の重なり方、生地の重なりの分量の問題、これらの問題点を解決することで、男性用下着の前開きが使いやすくなり、残尿の漏れで、ズボンを濡らし、いやな思いをしなくても済むはずである。
【０００５】  本考案は、従来の男性用下着において、現在の生産者は、素材や素材の機能、色、柄、キャラクター、ブランドなどのビジュアル的な開発ばかりで、実際の男性用下着としての使用する上での機能面が手つかずなのが現状である。人間にとって、もっとも大切な排泄行為の中の放尿という行為の中で、男性性器を取り出して用を足すという実用的な機能面、利便性がいかに重視であるか、残尿を防止し、男性性器の取り出し易さを追求し、気持ち良く、スマートに男性特有の体の構造に合わせ、着心地の良い人間工学に基づいた男性用下着を提供するものである。
【課題を解決するための手段】
【０００６】  本考案は、男性用下着が、これほどにまで問題の多い非機能的で、使いにくい前開きであるか、それが、何の改善もされないまま、長年販売され続けて来ていることに疑問を感じ、その理由として、いろいろの理由が挙げられる。男性用下着は単なる陰部を隠すものとして、洋服の下に隠れるものとして、扱われてきた。男性はインナーにあまりお金を使わない者として理解され、隅っこに追いやられ、商売としても重要視されてきていない結果である。最近では見せる下着としての要素も少しは入ってきてはいるが、下着を使うものとしては考えられていない。本来男性用下着については、特に使いやすいという機能を有するべきである。
【０００７】そこで、男性特有の体の構造並びに特徴を分析した結果、ほとんどの男性用下着の前開きの位置と男性性器の位置関係が全く合っていない。更に取り出し口の構造が、男性の放尿時に、男性性器を締め付けてしまう構造になっており、その結果残尿が漏れてしまうという構造になって、使用する下着ではない。この問題を解決するに、人間工学に基づいた男性用下着、力学的に見た前開きの構造を特徴とする下着になった。上述のような観点から、開口の位置と大きさ、形状に加え、留め具に磁石釦という全く新しい留め具を使用し機能的にした。この様に新しい前開きの位置と構造を特徴とする男性用下着である。
【０００８】  本考案の男性用下着は、男性の下着革命といっても過言ではない。男性性器の位置と、下着の開き止まりの位置関係、更には生地の重なり分量、すなわち、生地の交差の大きさによって、男性性器の締め付ける力が大きく作用する事に着目し、その前開きを構成する縫い目やカッティング、開きの大きさや位置、開講口を閉じる釦などに注目し、男性性器を無理なく取り出せ、残尿もなくすということで、利用者の精神的な不安感を取り除き、快適な下着を提供すると同時に、生産者の縫い工程の省力化にも作用する。
【考案を実施するための最良の形態】
【０００９】  本考案の実施の形態に付いて図面を参照して説明する。
図に示す開きの位置（６、７）が、男性性器（Ｐ）の位置より高いと言うことは尿道を下から押さえる結果となり、さらに前あきの開口（５）が小さいと言うことは、男性性器を締め付ける力が加わることがわかった。【００１０】そして、その問題を解決するには、男性用下着の前開き（５）の位置を下げ、開口を大きくする必要がある。ためには特に必要な条件として、開き止まり、（６、７）と男性性器の位置関係を図１で示すように、男性性器の位置より下に持ってくる。更には前開き止まり（６、７）の押さえミシンでの位置の生地の重なり分量（間隔）を小さくする事が、開口（５）への最短距離になり、男性性器の締め付けの力を小さくする事が可能になる。【００１１】このように開口を大きくし、生地の重なりを少なくし、位置を下げると前あきの割れが大きくなり、男性性器が飛び出す恐れがある。その前開きの割れを防ぐために、留め具が必要になり、従来の下着では、通常の釦を使わなければならなくなっている。その釦がいかに問題であるかは、生産者も利用者も十分理解しているが、それに変わるものが今のところ見つかっていない。従来市販されている男性用下着はすべて同様で、開きの構造と位置、仕様等は申し合わせたように同じ形状をしている。このように非機能的な釦では、用を足すときに非常に困難であることは、誰がみても一目稜線である。【００１２】この非機能的で使い勝手が悪い、前あきの釦の問題を解決するためには、釦の代わりに磁石を使うことで、このような問題は解決つくことを発見したのである。その磁石の釦を表したのが、図１のボクサーパンツと図７のトランクスである。これらの前あき部分をわかりやすく説明したのが、図１の断面線（Ｅ、Ｅ）での前あき部分の断面図で、（２）は下前、（２Ａ）は上前を表しています。（Ｍ１、Ｍ２）は上前の見返し部分にはさみ周りを縫い止め、下前も同様に磁石（Ｍ３、Ｍ４）を同様に縫い止めることで、見た目にもすっきりと仕上げることができる。【００１３】  トランクスに於いても同様に図７で示すとおり、前あき位置を下げ、図８に示したボクサーと同様の方法で取り付けることで、放尿時の問題を前あきに磁石を使うことで解決することができる。これまでのトランクスは特に若い男性に好まれ履かれているが、やはりこの下着の前あきも非常に小さく、特に伸縮性の無い織物を使ったトランクスではジャージーと違い、生地が伸びないために前あきは開きにくく更に深刻である。このトランクスの前開きも位置を下げ大きくするとボクサーパンツと同様で、留め具で止める必要がある。【００１４】  そこで本考案の最大の目的は、小用を足すときに、前あきの釦ができるだけ簡単に着脱できて、楽に放尿ができることを最優先課題としているのである。男性用下着で、上述の条件を満たすものとして、磁石の有効性を見出した。そこで、繊維製品で磁石を使うことは誰も考えておらず、この度、磁石を釦として使用することを考案するに至った。この磁石釦は、これまでに考えられたことのない利用価値を見いだす事が可能である。トランクスに於いても、使用するときには力をそれほど必要とせず、くっついている磁力を手を接触部分に差し込むだけで簡単に解除され、手を離すと止める作業を必要と��ず、磁力で自動的にくっついて、閉じてしまう。優れ物の釦といえる。ほかにも利用価値としては、身障者の衣類に利用することで、手や指に力の入らない人でも腕が動かせる人は脱着可能になる。この様に磁石の釦を使うことで、トランクスの前開きを大きくすることができ、放尿時の使用可能な前開きを有したトランクスを提供できる。
【考案の効果】
【００１５】  以上に説明したように男性下着の問題点は、なかなか問題になってこない。これが当たり前になり、放尿に失敗したと片付けられてしまうからです。本来、これだけ多くの人が残尿の漏れを経験し、それを繰り返している。その原因は明らかに前開きの構造によるものと解ったのである。これはまさしく欠陥商品といえる。そこで、この解決策として、本考案では残尿の漏れをなくし、楽な放尿を可能にする構造を確立したのである。それは男性性器をいかに楽に取り出せるかどうか、取り出した後、男性性器を開口（５）部分による生地の締め付けをいかに少なくするかがその条件となる。そのもっとも重要なポイントが、（６、７）の開き止まりの接点がどの部分に有るかである。そのポイントを従来の商品との比較を図によって説明すると、従来の商品の図４、図１０の（６、７）の位置と間隔の違いも大きく影響することを証明しております。今までの放尿時の何かすっきりしないもやもや感は、残尿の心配はこれらの条件を満たした下着を着用することで、今まで味わったことのない開放感での放尿が実現できます。よって、本考案の男性下着は、従来の下着に比べ男性性器の取り出しを楽にしただけではなく、前開きの布の締め付けをなくした結果、残尿をなくし尿の切れも良く、極めて衛生的、且つ健康的であるとともに、気持ちの上でもリラックスできる下着として、衣料産業に著しい波及効果を及ぼすものである。
【図面の簡単な説明】
【図１】本考案のボクサーパンツの正面図である。
【図２】図１の前開き部分のＥ−Ｅ線による断面図である。
【図３】本考案のボクサーパンツの前あき部分の斜図である。
【図４】従来市販されているボクサーパンツ正面図である。
【図５】図３の前開き部分のＦ−Ｆ線断面図である。
【図６】従来市販されているボクサーパンツの前あき部分の斜図である。
【図７】本考案のトランクスの正面図である。
【図８】図７のＧ−Ｇ線による前あき部分の断面図である。
【図９】本考案のトランクスの前あき部分の斜図である。
【図１０】従来市販されているトランクスの正面図である。
【図１１】図１０のＨ−Ｈ線による前あき部分の断面図である。
【図１２】従来市販されているトランクスの前あき部分の斜図である。
【符号の説明】
Ｍ１、Ｍ２，Ｍ３、Ｍ４，Ｍ５、Ｍ６  ：  磁石体
１、１Ａ  ：  腰布                      ２  ：  下前持ち出し布
２Ａ  ：  上前立て            ３、３Ａ  ：  裾口
４  ：  ウエストゴム              ５  ：  前開き口
６、７  ：  前開き止まり（下）      ８、９  ：  前開き止まり（上）
１０、１１、１２  ：  釦ホール          １３  ：  飛翼布
Ｐ  ：  男性性器      Ｂ１、Ｂ２，Ｂ３  ：  前釦
Ｅ−Ｅ、Ｆ−Ｆ、Ｇ−Ｇ、Ｈ−Ｈ  ：  断面線
【図１】
0003101985.tif 000003
【図２】
0003101985.tif 000004
【図３】
0003101985.tif 000005
【図４】
0003101985.tif 000006
【図５】
0003101985.tif 000007
【図６】
0003101985.tif 000008
【図７】
0003101985.tif 000009
【図８】
0003101985.tif 000010
【図９】
0003101985.tif 000011
【図１０】
0003101985.tif 000012
【図１１】
0003101985.tif 000013
【図１２】
0003101985.tif 000014